(57)【要約】  【課題】  ベアディスク型・カートリッジ収納型両タイプのディスク装置に対して、ディスクのセンタリング及びチャッキングを円滑・確実に実現でき、両タイプのディスク装置に対する互換性を低コストで確保し、全体の高さが増加しないディスク装置を提供することを目的とする。  【解決手段】  本発明は、固定型センタリング部のディスク挿入ガイド面が、（１）頂上近辺形状がディスク回転軸の外側方向への凸曲面、かつ底部近辺形状がこれと異なる曲率を有する曲面である複合曲面、（２）底部近辺形状がディスク回転軸の内側方向への凹曲面、かつ頂上近辺形状がこれと異なる曲率を有する曲面である複合曲面、あるいは（３）頂上近辺形状がディスク回転軸の外側方向への凸曲面、かつ底部近辺形状がディスク回転軸の内側方向への凹曲面を有する複合曲面を有することを特徴とするディスク装置を提供するものである。【選択図】図９
2006331525.tif 000002
【特許請求の範囲】
【請求項１】
ディスク搭載面を有するターンテーブル本体と、
前記ターンテーブル本体の中央部に固定型センタリング部と、を備え、
前記固定型センタリング部のディスク挿入ガイド面でディスク内径周縁を当接させて、ディスクをセンタリングしながらターンテーブル本体のディスク搭載面まで誘導するディスク装置において、
前記固定型センタリング部は、前記ディスク挿入ガイド面の頂上近辺形状がディスク回転軸の外側方向への凸曲面であり、かつ底部近辺形状が前記凸曲面と異なる曲率を有する曲面である複合曲面を有することを特徴とするディスク装置。
【請求項２】
ディスク搭載面を有するターンテーブル本体と、
前記ターンテーブル本体の中央部に固定型センタリング部と、を備え、
前記固定型センタリング部のディスク挿入ガイド面でディスク内径周縁を当接させて、ディスクをセンタリングしながらターンテーブル本体のディスク搭載面まで誘導するディスク装置において、
前記固定型センタリング部は、前記ディスク挿入ガイド面の底部近辺形状がディスク回転軸の内側方向への凹曲面であり、かつ頂上近辺形状が前記凹曲面と異なる曲率を有する曲面である複合曲面を有することを特徴とするディスク装置。
【請求項３】
ディスク搭載面を有するターンテーブル本体と、
前記ターンテーブル本体の中央部に固定型センタリング部と、を備え、
前記固定型センタリング部のディスク挿入ガイド面でディスク内径周縁を当接させて、ディスクをセンタリングしながらターンテーブル本体のディスク搭載面まで誘導するディスク装置において、
前記固定型センタリング部は、前記ディスク挿入ガイド面の頂上近辺形状がディスク回転軸の外側方向への凸曲面であり、かつ底部近辺形状がディスク回転軸の内側方向への凹曲面である複合曲面を有することを特徴とするディスク装置。
【請求項４】
前記固定型センタリング部のディスク挿入ガイド面の底部近辺形状は、規定されたディスク内周面の最大貼り合わせ誤差量を有するディスク内径の凸部段差に対して当接しない曲面であることを特徴とする請求項１から３のいずれか一に記載のディスク装置。
【請求項５】
前記ディスク装置は、スピンドルモータ構体である請求項１から４のいずれか一に記載のディスク装置。
【請求項６】
前記ディスク装置は、光もしくは光磁気ディスク装置である請求項１から４のいずれか一に記載のディスク装置。
【発明の詳細な説明】
【技術分野】
【０００１】
本発明は、ディスク搭載面を有するターンテーブル本体と、ターンテーブル本体の中央部に固定型センタリング部とを備え、固定型センタリング部のディスク挿入ガイド面でディスク内径周縁を当接させて、ディスクをセンタリングしながらターンテーブル本体のディスク搭載面まで誘導するディスク装置に関する。
【背景技術】
【０００２】
光学ヘッドや光磁気ヘッドを用いて光学的、光磁気的にディスクに対する記録・再生を行うための光ディスク装置、光磁気ディスク装置等のディスク装置におけるディスクのチャッキング・センタリング方法に関しては、当該ディスク装置が、ディスク搭載面を有するターンテーブル本体と、ターンテーブル本体の中央部に固定型センタリング部とを備え、固定型センタリング部のディスク挿入ガイド面でディスク内径周縁を当接させて、ディスクをセンタリングしながらターンテーブル本体のディスク搭載面まで誘導するという方法が多く用いられている。その場合、かかるディスク装置における固定型センタリング部のディスク搭載面の形状については、従来、ディスク挿入ガイド面が直線状の傾斜面あるいは外周側に緩やかな膨らみを有する連続的な凸面曲線で構成されているものが知られている。例えば、特許文献１においては、かかるターンテーブルとこれに固定されたセンタリング部材などからなるディスク装置のスピンドル機構に関する技術が開示されている（特許文献１参照）。
【０００３】
図１は、従来型のディスク装置の一例を示す断面図である。同図に示すように、当該ディスク装置においては、ターンテーブル本体０１０１と、ターンテーブル本体の中央部においてこれと一体に形成されかつモータシャフト０１０２に嵌合された固定型センタリング部０１０３が備えられている。また、固定型センタリング部０１０３は、ディスク０１０４が当接状態を保持しつつディスク搭載面０１０１ａまで誘導されるためのディスク挿入ガイド面０１０３ａを有している。
【０００４】
次に、当該装置におけるディスクの装着要領を説明する。ディスクが図示を省略したローディング機構によってディスク装置内にローディングされると、ディスク０１０４はディスク回転軸（図１のＯ‐Ｏ’）に対して偏心した状態で降下するために、図１に示すように、当該ディスクの一方の内径の下側周縁部０１０４ａが固定型センタリング部の外形に形成されたディスク挿入ガイド面の一部に当接する。
【０００５】
図２は、従来型のディスク装置においてディスクがディスク搭載面に装着される要領の一例を説明するための、ディスク装置のチャッキング部の一例を示す断面図である。図２（ａ）は図１と同じ状態を示すものである。即ち、図２（ａ）において、ディスク内径の下側周縁部０２０４ａが上記固定型センタリング部０２０３の外形に形成されたディスク挿入ガイド面０２０３ａの一部に当接している。その後、ディスク０２０４はディスク挿入ガイド面０２０３ａと当接状態を保持しつつセンタリングされながらターンテーブル本体０２０１に向かって降下していき、図２（ｂ）に示すように、ターンテーブル本体０２０１のディスク搭載面０２０１ａまで誘導される。ここで、前記ディスク挿入ガイド面０２０３ａは、ディスク搭載面０２０１ａに搭載されるディスクの内径形状０２０４ｂを考慮して形成され、断面図上では直線状の傾斜面あるいはディスク回転軸の外側方向への緩やかな膨らみを有する連続的な凸面曲線で構成されている。例えば、図２に示すような２枚の０．６ｍｍ厚のディスク上側基板０２０４ｃと下側基板０２０４ｄが貼り合わされたＤＶＤディスクの場合、図２（ｂ）に示す基板の貼り合わせによる最大寸法誤差Ｌａが規格で規定されているため、ディスク内径部の形状０２０４ｂは前記の最大寸法誤差Ｌａに起因した凸部段差０２０４ｅを有している。このために、ディスク挿入ガイドの傾斜面０２０３ａは前記凸部段差０２０４ｅとの当接を回避して形成される。換言すれば、固定型センタリング部０２０３におけるディスク挿入ガイド面０２０３ａの垂直方向からの傾斜角θは、ディスク挿入ガイドの傾斜面０２０３ａが当該凸部段差０２０４ｅと当接しないような角度（一定の値以上の角度）に設定されることになる。
【０００６】
図３はこの点を補足するための、ディスク内径部凸部段差とディスク挿入ガイド面の当接状態を比較した参考図である。図３（ａ）においては、図２と同様、ディスク挿入ガイドの傾斜面０３０３ａの垂直方向からの傾斜角θが大きいので、ディスク挿入ガイドの傾斜面０３０３ａと前記凸部段差０３０４ｅとの当接が回避されている状態が示されている。しかし、図３（ｂ）においては、この傾斜角θが小さいのでディスク挿入ガイドの傾斜面０３０３ａと前記凸部段差０３０４ｅとの当接が回避できない状態が示されている。
【０００７】
一方、従来、固定型センタリング部だけでなく、昇降可能な可動型センタリング部を併有し、両部で構成されたディスク挿入ガイド面にディスク内径周縁部を当接させてディスクをターンテーブル本体のディスク搭載面まで誘導するディスク装置も知られている。例えば、特許文献２において、かかる可動型の部材と固定型の部材によるセンタリング機能を有するターンテーブル装置が開示されている（特許文献２参照）。
【０００８】
図４は、このようなタイプのディスク装置の一例を示す断面図である。同図に示すように、当該ディスク装置においても、ターンテーブル本体０４０１と、ターンテーブル本体の中央部においてこれと一体に形成されかつモータシャフト０４０２に嵌合された固定型センタリング部０４０３が備えられている。また、固定型センタリング部０４０３は、ディスクが当接状態を保持しつつディスク搭載面０４０１ａまで誘導されるためのディスク挿入ガイド面０４０３ｄを有している。さらにこれに加え、このタイプのディスク装置では、固定型センタリング部０４０３の周辺部の下方に隣接する形でリング状の可動型センタリング部０４１２が備えられている。この可動型センタリング部０４１２はコイルスプリング０４１３により固定型センタリング部０４０３及びターンテーブル本体０４０１に係合されている。この場合、固定型センタリング部０４０３のディスク挿入ガイド面０４０３ｄと可動型センタリング部０４１２のディスク挿入ガイド面０４１２ａとは、ディスクを円滑にセンタリングできるように形成され、断面図上では両者のディスク挿入ガイド面が一体的に連続した直線状の傾斜面あるいはディスク回転軸の外側方向への緩やかな膨らみを有する連続的な凸面曲線で構成される。
【０００９】
次に、当該装置におけるディスクの搭載要領を説明する。
図５は、このようなタイプのディスク装置においてディスクがディスク搭載面に装着される要領の一例を説明するための、ディスク装置のチャッキング部の一例を示す断面図である。図５（ａ）に示すように、ディスク０５０４が図示を省略したローディング機構によってディスク装置内にローディングされた場合、ディスク０５０４がディスク搭載面０５０１ａに未装着の状態では、可動型センタリング部０５１２の上端面０５１２ｂがターンテーブル本体０５０１に内蔵したコイルスプリング０５１３の付勢力によって固定型センタリング部０５０３のフランジ下面０５０３ｆへ固定されている。また、ディスク０５０４がディスク装置にローディングされた際には、当該ディスクはディスク回転軸Ｏ‐Ｏ’に対して偏心した状態で降下するために、まず、ディスクの一方の内径の下側周縁部が固定型センタリング部の外形に形成されたディスク挿入ガイド面あるいは可動側センタリング部の外形に形成されたディスク挿入ガイド面の一部に当接する。図５（ａ）では、ディスク０５０４の内径の下側周縁部０５０４ａが固定型センタリング部材０５０３のディスク挿入ガイド面０５０３ｅに当接した状態が示されている。その後、ディスク０５０４はディスク挿入ガイド面０５０３ａとの当接状態を保持しつつセンタリングされながらターンテーブル本体０５０１に向かって降下していく。そして、ディスク０５０４の内径の下側周縁部０５０４ａが当接するディスク挿入ガイド面が、固定型センタリング部０５０３のディスク挿入ガイド面０５０３ｅから可動型センタリング部０５１２のディスク挿入ガイド面０５１２ａに移行すると、可動型センタリング部０５１２はコイルスプリング０５１３の付勢力に抗してターンテーブル本体０５０１の方向（図５（ｂ）中の矢印Ａ方向）へ押し下げられつつ、最終的にディスク０５０４の内径周縁部０５０４ａの全周を可動型センタリング部０５１２に係合する。そして、ディスク０５０４を保持するチャッキングプレート０５０９は、チャッキングプレート０５０９の対向傾斜面０５０９ａが固定型センタリング部０５０３に設けたディスク挿入ガイド面０５０３ｅと係合することでセンタリングが完了する。図５（ｂ）では、このようにしてディスクがターンテーブル本体０５０１のディスク搭載面０５０１ａまで誘導され、チャッキングプレート０５０９の対向傾斜面０５０９ａが固定側センタリング部０５０３のディスク挿入ガイド面０５０３ｅと係合することでセンタリングが完了した状態が示されている。
【特許文献１】特開平１０‐１７７７６２号公報
【特許文献２】特開２００３‐３４６４０４号公報
【発明の開示】
【発明が解決しようとする課題】
【００１０】
しかしながら、従来型のディスク装置には以下のような問題点があった。まず、固定型センタリング部のみを用いてセンタリングを行うタイプのディスク装置の場合、上述のように、固定型センタリング部のディスク挿入ガイド面の傾斜角がディスク挿入ガイドの傾斜面が当該凸部段差と当接しないような角度に設定される必要がある。この場合、ディスク装置がカートリッジに収納されないベアディスク型のディスク装置であれば、後述のようにこの角度を大きく設定しても問題はない。しかし当該固定型センタリング部が、かかるベアディスク型のディスク装置のみならず、カートリッジの上シェルにチャッキングプレートを収納するタイプ（以下「カートリッジ収納型」という。）のディスク装置にも対応可能なものであるためには問題が生じる。以下この問題点を具体的に説明する。例えば図２（ｂ）に示すように、固定型センタリング部０２０３におけるディスク挿入ガイド面０２０３ａがディスク内径凸部段差０２０４ｅと当接しないようにディスク挿入ガイド面０２０３ａの傾斜角θを垂直方向から大きく傾斜させた場合（即ちθの値を大きくした場合）、例えば図２（ａ）に示すように、固定型センタリング部０２０３の上端部０２０３ｂの外径寸法Ｌｂが、これと係合するディスク０２０４の内径寸法Ｌｃに対して小さくなる。このことは、一方では、ディスク挿入ガイド面０２０３ａがディスク０２０４を引き込み易くなり、ディスクのチャッキング動作を円滑に行うことが可能となるというメリットを生む。しかし、他方で、このことは固定型センタリング部０２０３の上端部０２０３ｂの外径寸法Ｌｂとディスク０２０４の内径寸法Ｌｃの差が大きくなることを意味し、チャッキングプレートと固定型センタリング部の係合が適切に行われず、センタリングがうまくできないという問題点を生じる。
【００１１】
図６は、このチャッキングプレートと固定型センタリング部の係合に係る問題点を説明するための、ディスク装置のチャッキング部の一例を示す断面図である。同図において、固定型センタリング部０６０３の上端部０６０３ｂの外径寸法Ｌｂとチャッキングプレートの嵌合傾斜面Ｌｄの差である係合部における隙間量がＬｅで示されている。そして、前述のように、固定型センタリング部０６０３におけるディスク挿入ガイド面０６０３ａがディスク内径凸部段差０６０４ｅと当接しないようにディスク挿入ガイド面０６０３ａの傾斜角θを垂直方向から大きく傾斜させた場合（即ちθの値を大きくした場合）、Ｌｅの値は大きくなる。この場合、当該固定型センタリング部がベアディスク型のディスク装置のみに対応する場合には、先に定めた挿入ガイド上端部０６０３ｂの周縁部０６０３ｃの形状に合わせて、チャッキングプーリー（図２において０２０７で示す）の対向傾斜面（図２において０２０７ａで示す）の形状を任意に設定でき、Ｌｅの値を適切に管理できる。従って、ディスク挿入ガイド面０６０３ａの傾斜角θは、ディスク挿入ガイド面の傾斜面０６０３ａがディスク内径形状０６０４ｂに生じた凸部段差０６０４ｅと当接しない角度まで大きく設定できる。しかし、ベアディスク型だけでなく、同図に示すようなカートリッジ収納型のディスク装置に対応する場合には、チャッキングプレート０６０９の嵌合傾斜面０６０９ａの形状が予めカートリッジの規格で定められているために、係合する上記の隙間量Ｌｅの値を適切に管理することが困難となる。
【００１２】
図７は、かかるカートリッジ収納型のディスク装置におけるチャッキング部の一例を示す断面図である。図７（ａ）に示すように、カートリッジの上シェル０７１０の下側外周部付近にはプレート保持部材０７１１が取り付けられている。そこで、前記係合部における隙間量Ｌｅがチャッキングプレート０７０９の外形０７０９ｂとプレート保持部材０７１１の内側壁０７１１ａとの半径寸法差Ｌｆに対して大きくなった場合には、チャッキングプレート０７０９がセンタリングされずに、図７（ｂ）に示すように、チャッキングプレート０７０９の外形０７０９ｂがプレート保持部材０７１１の内側壁０７１１ａに当接して、スピンドルモータの回転時に接触摺動による異音や動作不良を発生するという問題点を生じる。
【００１３】
また、このようなタイプのディスク装置においては、図６に示すように、固定型センタリング部０６０３の下側外周部に設けられたストレート部の嵌合領域Ｌｆに、下側ディスク基板０６０４ｄの内壁部０６０４ｆを係合させてディスク０６０４をセンタリングし、これを保持するように構成されているため、確実にディスク０６０４をセンタリングしてディスク搭載面０６０１ａに保持させるには、上記ストレート部の嵌合領域Ｌｆを十分に確保することで下側ディスク基板０６０４ｄの内壁部０６０４ｆとの係合面を十分に確保する必要があり、その結果、ディスク挿入ガイド面の傾斜開始点０６０３ｄが高い位置に配置されることが必要となる。そうすると、高い位置から傾斜を開始してしかもディスク挿入ガイドの傾斜面０６０３ａとディスク内径形状０６０４ｂに生じた凸部段差０６０４ｅとの当接を回避するためには、ディスク挿入ガイドの傾斜面０６０３ａが形成する垂直方向からの傾斜角を、当該傾斜面とディスク内径形状０６０４ｂに生じた凸部段差０６０４ｅとが当接する場合の傾斜角θ1以上の傾斜角θとなるように、ディスク挿入ガイド面０６０３ａの傾斜面を形成する必要があることになる。従って、ディスク挿入ガイド面０６０３ａは垂直方向から大きく傾斜した状態になり、前記の係合部に大きな隙間量Ｌｅを発生させる原因になり、この結果、チャッキングプレートと固定型センタリング部の係合が適切に行われず、センタリングがうまくできないという問題点が生じていた。
【００１４】
また、図２（ａ）に示すように、従来のディスク装置では、一般にターンテーブル本体０２０１のディスク搭載面０２０１ａに対向するディスク０２０４の上側領域において、チャッキングプーリー０２０７がプーリー保持部材０２０８によって径方向及び高さ方向に一定範囲内で移動自在に保持されている。そして当該プーリー保持部材０２０８が図示省略した昇降機構によって降下すると、それに伴ってチャッキングプーリー０２０７もディスク０２０４に向かって同時に降下を開始する。そして、前記チャッキングプーリー０２０７の対向傾斜面０２０７ａが固定型センタリング部材０２０３の挿入ガイド上端部０２０３ｂ近傍の周縁部０２０３ｃに係合することで、ディスク０２０４がディスク回転軸Ｏ‐Ｏ’に対してセンタリングされる。次に、固定型センタリング部材０２０３の上端部０２０３ｂに埋設された吸着マグネット０２０５がチャッキングプーリー０２０７に固定された金属磁性材料の吸着プレート０２０６を磁気吸引して、前記チャッキングプーリー０２０７のディスク押圧部０２０７ｂがディスク搭載面０２０１ａに搭載されたディスク０２０４を上側から押圧する。この結果、図２（ｂ）示すように、チャッキング動作が完了した状態では、チャッキングプーリー０２０７はプーリー保持部材０２０８と非接触状態となり、ターンテーブル本体０２０１の回転に伴ってディスク０２０４と共に回転することが可能となる。そこで、仮に、チャッキングプーリー０２０７の対向傾斜面０２０７ａと挿入ガイド上端部０２０３ｂの周縁部０２０３ｃとの係合部に不適当な隙間がある場合には、チャッキングプーリー０２０７がディスク回転軸Ｏ‐Ｏ’に対して偏心した状態でディスク０２０４の上面０２０４ｇに装着されるために、スピンドルモータの回転動作時にインバランス量を増加させて、装置自身に振動及び騒音等の悪影響を及ぼすという問題点も生じていた。
【００１５】
一方、図４に示すような固定型センタリング部と可動型センタリング部とを併用してセンタリングを行うタイプのディスク装置の場合、固定型センタリング部のみでディスクを誘導するタイプのディスク装置と比較して、図５に示すように、前述のようなカートリッジ収納型のディスク装置であっても同一のターンテーブル本体０５０１上にディスク０５０４を装着し易く、更にチャッキングプレート０５０９をディスク回転軸Ｏ‐Ｏ’に偏心せずに装着し易いために、ベアディスク型のディスク装置だけでなくかかる収納型タイプのディスク装置にも対応でき、互換性を確保できる可能性が高い。ところが、図４に示す可動側センタリング部を併用してディスクを誘導するタイプのディスク装置の場合、ディスクのセンタリング機構として、固定側センタリング部の他に昇降可能な可動側センタリング部が必要となるため、センタリング機構が占める占有領域がターンテーブル本体の磁気回路側へ広がり、ディスク装置のスピンドルモータ構体部分全体の高さを増加させてモータの薄型化を阻害する。他方、これを回避するため、かかる可動側センタリング部を併用した構造のセンタリング機構を搭載し、かつスピンドルモータ構体部分全体の高さを増加することなく当該部分を設計しようとすると、今度はスピンドルモータの回転精度を左右するラジアル軸受０４１４のスパン長さや磁気回路の占有面積が十分に確保できず、スピンドルモータの回転精度を劣化させるという問題が生じる。また、ディスクが誘導されるディスク挿入ガイド面０４０３ｄを固定型センタリング部０４０３と可動型センタリング部０４１２に分割しているために、両センタリング部の接合部に隙間あるいは凸部段差が生じて、ディスク０４０４の円滑な誘導とチャッキングを阻害する場合があった。さらに、かかる構造のセンタリング部を形成するためには、固定型センタリング部と可動型センタリング部の傾斜面を連続的に高精度に加工する必要があること、また、センタリング部が固定部分と可動部分とで構成されるために双方の摺動部を厳密に精度管理する必要があること、及び固定型センタリング部のみでディスクを誘導する場合に比べて可動型センタリング部、コイルバネ等の部品点数が増えて、部品コスト及び組立コストが増加するという問題点も生じていた。
【００１６】
そこで、本発明が解決すべき課題は、センタリング部のディスク挿入ガイド面でディスク内径周縁を当接させて、ディスクをセンタリングしながらターンテーブルのディスク搭載面まで誘導するディスク装置において、固定型センタリングだけを用い、ベアディスク型のディスク装置のみでなくカートリッジ収納型のディスク装置に対しても、ディスクのセンタリング及びチャッキングを円滑かつ確実に実現でき、かつ、両タイプのディスク装置に対する互換性を低コストで確保するとともに、全体の高さが増加しないディスク装置を提供することにある。
【課題を解決するための手段】
【００１７】
以上の課題を解決するため、本発明のうち請求項1に係る発明は、ディスク搭載面を有するターンテーブル本体と、前記ターンテーブル本体の中央部に固定型センタリング部とを備え、前記固定型センタリング部のディスク挿入ガイド面でディスク内径周縁を当接させて、ディスクをセンタリングしながらターンテーブル本体のディスク搭載面まで誘導するディスク装置において、前記固定型センタリング部は、前記ディスク挿入ガイド面の頂上近辺形状がディスク回転軸の外側方向への凸曲面であり、かつ底部近辺形状が前記凸曲面と異なる曲率を有する曲面である複合曲面を有することを特徴とするディスク装置を提供する。また、請求項２に係る発明は、ディスク搭載面を有するターンテーブル本体と、前記ターンテーブル本体の中央部に固定型センタリング部とを備え、前記固定型センタリング部のディスク挿入ガイド面でディスク内径周縁を当接させて、ディスクをセンタリングしながらターンテーブル本体のディスク搭載面まで誘導するディスク装置において、前記固定型センタリング部は、前記ディスク挿入ガイド面の底部近辺形状がディスク回転軸の内側方向への凹曲面であり、かつ頂上近辺形状が前記凹曲面と異なる曲率を有する曲面である複合曲面を有することを特徴とするディスク装置を提供する。また、請求項３に係る発明は、ディスク搭載面を有するターンテーブル本体と、前記ターンテーブル本体の中央部に固定型センタリング部とを備え、前記固定型センタリング部のディスク挿入ガイド面でディスク内径周縁を当接させて、ディスクをセンタリングしながらターンテーブル本体のディスク搭載面まで誘導するディスク装置において、前記固定型センタリング部は、前記ディスク挿入ガイド面の頂上近辺形状がディスク回転軸の外側方向への凸曲面であり、かつ底部近辺形状がディスク回転軸の内側方向への凹曲面である複合曲面を有することを特徴とするディスク装置を提供する。また、請求項４に係る発明は、請求項１から３のいずれか一に記載のディスク装置であって、前記固定型センタリング部のディスク挿入ガイド面の底部近辺形状は、規定されたディスク内周面の最大貼り合わせ誤差量を有するディスク内径の凸部段差に対して当接しない曲面であることを特徴とするディスク装置を提供する。また、請求項５に係る発明は、請求項１から４のいずれか一に記載のディスク装置であって、前記ディスク装置は、スピンドルモータ構体であるディスク装置を提供する。さらに、請求項６に係る発明は、請求項１から４のいずれか一に記載のディスク装置であって、光もしくは光磁気ディスク装置であるディスク装置を提供する。
【発明の効果】
【００１８】
本発明により、センタリング部のディスク挿入ガイド面でディスク内径周縁を当接させて、ディスクをセンタリングしながらターンテーブルのディスク搭載面まで誘導するディスク装置において、固定型センタリング部だけを用いて、ベアディスク型だけでなくカートリッジ収納型のディスク装置に対しても係合状態を最適にしたディスク挿入ガイド面の形状を設定できようになるため、両タイプのディスク装置に対して、センタリングとチャッキングを円滑かつ確実に実現でき、かつ、両タイプのディスク装置に対する互換性を低コストで確保するとともに、従来のディスク装置よりもスピンドル構体全体の高さが増加しないディスク装置の提供が可能となる。
【発明を実施するための最良の形態】
【００１９】
以下に、本発明の実施例を説明する。実施例と特許請求の範囲の請求項の相互の関係については、実施例１は主に請求項１などに関し、実施例２は主に請求項２などに関し、実施例３は主に請求項３などに関し、実施例４は主に請求項４などに関し、実施例５は主に請求項５などに関する。なお、本発明はこれら実施例に何ら限定されるものではなく、その要旨を逸脱しない範囲において、種々なる態様で実施しうる。
【実施例１】
【００２０】
<概要>
本実施例のディスク装置は、固定型センタリング部のみを用い、そのディスク挿入ガイド面でディスク内径周縁を当接させて、ディスクをセンタリングしながらターンテーブル本体のディスク搭載面まで誘導するディスク装置において、固定型センタリング部が、ディスク挿入ガイド面の頂上近辺形状がディスク回転軸の外側方向への凸曲面であり、かつ底部近辺形状が前記凸曲面と異なる曲率を有する曲面である複合曲面を有することを特徴とするものである。
【００２１】
<構成>
図８は、本実施例のディスク装置のチャッキング部の断面のイメージの一例を示す概念図である。本実施例の「ディスク装置」０８００は、ディスクを保持する「ターンテーブル本体」０８０１と、前記ターンテーブルの中央部に形成された「固定型センタリング部」０８０２とを備える。当該ディスク装置は、前記固定型センタリング部のディスク挿入ガイド面０８０３でディスク内径周縁を当接させて、ディスクをセンタリングしながらターンテーブルのディスク搭載面０８０４まで誘導するディスク装置である。なお、当該ディスク装置は、上述のターンテーブル本体及び固定型センタリング部以外の構成要素を備えていてもよい。例えば、本実施例のディスク装置は光学ヘッドや光磁気ヘッドを用いて光学的、光磁気的にディスクに対する記録・再生を行うための光ディスク装置、光磁気ディスク装置等のディスク装置全体（狭義のディスク装置）であってもよいし、かかる装置のうちの一部の機能を有する部分のみであってよい。後者の例として、例えば、スピンドル構体、ピックアップ装置などが挙げられる。いずれの場合においても、ターンテーブル本体と固定型センタリングは必須構成要素であるが、その他の構成要素は任意である。ただし、センタリング部は上述の「固定型センタリング部」に限られ、これ以外のセンタリング部を備えるものは含まない。要するに、本発明の「ディスク装置」は、狭義のディスク装置のうち少なくともターンテーブル本体と固定型センタリング部を含む装置である。
【００２２】
そして、当該ディスク装置は、前記ディスク挿入ガイド面の頂上近辺形状０８０５がディスク回転軸０８０６の外側方向への凸曲面（以下、本実施例において単に「凸曲面」という。）であり、かつ底部近辺形状０８０７が前記凸曲面と異なる曲率を有する曲面である複合曲面を有することを特徴とする。ここで、「ディスク挿入ガイド面の頂上近辺」とは、ディスク挿入ガイド面のほぼ上半分の部分を意味する概念である。同様に「ディスク挿入ガイド面の底部近辺」とは、ディスク挿入ガイド面のほぼ下半分の部分を意味する概念である。なお、「ディスク回転軸の外側方向への凸曲面」というのは、ディスク回転軸の外側の方向（より厳密に言えばディスク挿入ガイド面の外側斜め上方（図８の概ねＡ方向））に向かってふくらんでいるということである。また、「底部近辺形状が前記凸曲面と異なる曲率を有する曲面である」というのは、ここでは、ディスク回転軸の内側方向への凹曲面（以下、本実施例において単に「凹曲面」という。）であるか、底部近辺形状が平面（曲率がゼロ）であるか、ディスク回転軸の外側方向への凸曲面であってその曲率が頂上近辺形状（凸曲面）の曲率より小さいか、のいずれかの意味である。なお、「ディスク回転軸の内側方向への凹曲面」というのは、ディスク回転軸の内側の方向（より厳密に言えばディスク挿入ガイド面の内側斜め下方（図８の概ねＢ方向））に向かってへこんでいるということである（以上の「ディスク回転軸の外側方向への凸曲面」、「ディスク回転軸の内側方向への凹曲面」の意味は他の実施例においても同じである）。そして、頂上近辺形状（凸曲面）の曲率と底部近辺形状（凹曲面）の曲率が等しい場合（例えば、断面図で見た場合に、頂上近辺形状の円弧と底部近辺形状の円弧のそれぞれの半径が等しいＳ字カーブの曲線を形成している場合）のように、曲率が同じでも凹凸の向きが逆の場合は、ここでは曲率が「異なる」場合に含まれる。他方、曲率が異なっていても、底部近辺形状が凸曲面であってかつ頂上近辺形状の曲率と同一もしくはこれより大きいものは、ここでいう曲率が「異なる」場合には含まれない。なぜなら、かかる形状のものは、本発明の課題であるカートリッジ収納型のディスク装置に対してもセンタリング及びチャッキングを円滑かつ確実に実現することを可能にするディスク挿入ガイド面の形状という観点から見た場合には、従来型と同価値もしくは改悪であって、何ら課題解決に資するところがないからである。また、「複合曲面」には、異なる曲率の二つの面が互いに実質的に隣接してなる曲面からなるものを広く含む。ここで「実質的に隣接」とは、上記二つの面が文字通り互いに接している場合のほか、二つの面の間に両者の面をなめらかにつなげるための曲面又は平面が存在していてもよいという意味である。即ち、上述の課題解決の観点から、当該複合曲面はその断面を構成する線がエッジのない滑らかな曲線（一部直線を含んでいてもよい）で形成されていることが望ましいことから、かかる面が両面の間に存在していてもよいという趣旨である。ただし、これはディスクの誘導を滑らかに行うことを目的とするためであるから、かかる目的に反しない程度であれば、エッジがあっても差しつかえない。なお、ここでいう「曲面」や「曲率」は厳密な数学上の定義に基づくものではなく、断面図で見た場合に上記のような意味での滑らかな曲線で形成されている面やその曲がりの度合いといったほどの意味である。これは他の実施例においても同様である。なお、同図にも示されているように、底部近辺形状の下側に、これと実質的に隣接する形で、固定型センタリング部の下側外周部にストレート部の嵌合領域が存在していてもよい。この場合も、当該底部近辺形状の有する曲面とストレート部の嵌合領域はその断面を構成する線がエッジのない滑らかな曲線（ストレート部のほかにも一部直線を含んでいてもよい）で形成されていることが望ましい。以上のように、ディスク挿入ガイド面は、上述のセンタリング及びチャッキングを円滑かつ確実に実現するという機能を損わない限り、複合曲面を形成する二つの面の他にどのような面を含んでいてもよい。
【００２３】
このように、ディスク挿入ガイド面の頂上近辺形状が凸曲面であり、底部近辺形状が前記凸曲面と異なる曲率を有する曲面である複合曲面を有するようにしたのは、かかる複合曲面を形成することで、カートリッジ収納型のディスク装置においてもディスク挿入ガイド面がディスクを引き込み易くし、かつ確実にディスクをセンタリングしてディスク搭載面に保持させることを可能にするという課題を固定型センタリング部のみを利用して一挙に解決することを目的とするものである。即ち、まず、ディスク挿入ガイド面の頂上近辺形状を凸曲面とすることで、ディスク挿入ガイド面の頂上近辺形状の傾斜角を垂直方向から大きく傾斜させることができるので、固定型センタリング部の上端部の外径寸法が係合するディスクの内径寸法に対して小さくなり、ディスクを引き込み易くすることが可能となる。しかし、これだけでは、挿入ガイド上端部の周縁部形状に合わせて、チャッキングプーリーの対向傾斜面形状を任意に設定できないカートリッジ収納型のディスク装置の場合に、確実にディスクをセンタリングしてディスク搭載面に保持させるには、上記ストレート部の嵌合領域を十分に確保する必要があり、その結果、ディスク挿入ガイド面の傾斜開始点が高い位置に配置される。従って、従来のディスク装置では、前述の図６で説明したように、ディスク挿入ガイドの傾斜面０６０３ａとディスク内径形状０６０４ｂに生じた凸部段差０６０４ｅとの当接を回避するためには、ディスク挿入ガイドの傾斜面０６０３ａが形成する垂直方向からの傾斜角を、当該傾斜面とディスク内径形状０６０４ｂに生じた凸部段差０６０４ｅとが当接する場合の傾斜角θ1以上の傾斜角θとなるように、ディスク挿入ガイド面０６０３ａの傾斜面を形成すると、ディスク挿入ガイド面の傾斜面が垂直方向から大きく傾斜した状態になり、前記の係合部に大きな隙間量を発生させる原因になっていたという問題点が何ら解決されない。そこで、本実施例のディスク装置は、以上のような頂上近辺形状が凸曲面であることに加え、底部近辺形状が前記凸曲面と異なる曲率を有する曲面を有する複合曲面を有するようにすることで、ディスク挿入ガイド面の傾斜開始点が高い位置に配置されていても、前記の係合部に大きな隙間量を発生させることなく、しかもディスク内径形状に生じた凸部段差と当接しないようなディスク挿入ガイド面の形成が可能となるようにすることを目的とするものである。
【００２４】
図９は、本実施例のディスク装置の一例を示す断面図である。同図におけるディスク装置は、カートリッジにチャッキングプレート０９０９を内蔵するカートリッジ収納型のディスク装置である。同図においては、ディスク０９０４がチャッキングプレート０９０９に押圧されてターンテーブル本体０９０１のディスク搭載面０９０１ａに装着された状態が示されている。
【００２５】
図１０は当該ディスク装置におけるディスクの装着要領を説明するための、チャッキング部の断面図である。図１０（ａ）及び図１０（ｂ）はそれぞれチャッキング・センタリング過程における初期状態及び完了状態を示している。
図１０（ａ）において、まず、チャッキングプレートは、固定型センタリング部１００３の上端部１００３ｂに埋設された吸着マグネット１００５が磁気吸着するように金属磁性材料の板金等からなっている。また、チャッキングプレート１００９のディスク押圧部１００９ｃがディスク搭載面１００１ａに搭載されたディスク１００４をその上面１００４ｇ側から押圧するために下側へ突起して、中央部がカートリッジの上シェル１０１０側へ湾曲して、かつ該中央部の嵌合傾斜面１００９ａが平坦な環板状を呈している。さらに、チャッキングプレート１００９は、カートリッジの上シェル１０１０の内面側に配置され、超音波溶着等で設置されたプレート保持部材１０１１によって高さ及び径方向に一定範囲内で移動可能に保持されている。例えば、チャッキングプレート１００９の径方向は、チャッキングプレート１００９の外形１００９ｂの動きをプレート保持部材１０１１の内側壁１０１１ａで規制しており、カートリッジがローディングされた際に、係合する固定型センタリング部１００３のディスク挿入ガイド面１０２１が適切な形状で形成されていれば、チャッキングプレート１００９の嵌合傾斜面１００９ａと係合することでチャッキングプレート１００９をセンタリングする。ここで、カートリッジがディスク装置内にローディングされると、ターンテーブル本体１は図中矢印に示す下側から上方（図中Ｂ方向）に向かいカートリッジへ挿入される。そして、挿入されたディスク挿入ガイド面１０２１の上側１０２１ａに、ディスク１００４の内径下側周縁部１００４ａの一部が当接する。その後、ディスク１００４の内径下側周縁部１００４ａはディスク挿入ガイド面１０２１との当接状態を保持しつつ、図１０（ｂ）の例では略Ｓ字曲面で形成されたディスク挿入ガイド面１０２１の上側１０２１ａから下側１０２１ｂまで摺動しながら、ターンテーブル本体１００のディスク搭載面１００１ａまでディスク１００４を円滑に誘導する。ターンテーブル本体１００１がカートリッジに挿入されると、固定型センタリング部１００３の上端部１００３ｂに埋設された吸着マグネット１００５がチャッキングプレート１００９に近接してチャッキングプレート１００９を磁気吸引して、チャッキングプレート１００９のディスク押圧部１００９ｃがディスク搭載面１００１ａに搭載されたディスク１００４を上側から押圧して固定する。また、チャッキングプレート１００９は、従来のディスク装置と同様に、チャッキングプレート１００９の嵌合傾斜面１００９ａがディスク挿入ガイド面１０２１の上側１０２１ａと係合することでセンタリングされる。
【００２６】
このように、本実施例のディスク装置では、ディスク挿入ガイド面の頂上近辺形状を凸曲面とすることで、当該形状をカートリッジの規格に準拠したチャッキングプレートの嵌合傾斜面に適切に係合する形状としているために、ディスク挿入ガイド面の上側とチャッキングプレートの嵌合傾斜面との隙間量は最適に管理されて、チャッキングプーリーがターンテーブルの中心に偏心した状態でディスクの上面に装着されることがない。そのために、スピンドルモータの回転動作時に、チャッキングプレートの外形がプレート保持部材の内側壁に当接して異音や動作不良を生じさせることはない。また、ディスク搭載面まで誘導されたディスクは、固定型センタリング部のみでディスクを誘導する従来のディスク装置と同様に、ディスク下側基板の内壁部の一部が固定型センタリング部の下側外周部に設けたストレート嵌合領域に係合して、センタリングされる。従って、本実施例のディスク装置が固定型センタリング部のみでディスクを誘導する従来のディスク装置と同様にディスク挿入ガイド面の傾斜開始点が高い位置に配置されていても、差しつかえがない。そのために、従来のような、単純な直線状の傾斜面あるいは緩やかな凸面曲線でディスク挿入ガイド面を形成するディスク装置においては、基板の最大貼り合せ寸法誤差に起因する上述のような問題点が生じていたのと異なり、本実施例のディスク装置では、ディスク挿入ガイド面の底部近辺形状が前記凸曲面と異なる曲率を有する曲面であり、これがディスク挿入ガイド面の頂上近辺形状が凸曲面であることと相まった複合曲面を有し、かつ規定されたディスク内周面の最大貼り合わせ誤差量による凸部段差に当接しない曲面形状で形成されているために、ディスク挿入ガイド面の傾斜開始点が高くても、ディスク挿入ガイド面の初期傾斜角を傾斜角以上に設定して、前記凸部段差との当接を避けることができる。しかも、ディスク挿入ガイド面の周縁部とチャッキングプレートの嵌合傾斜面の係合部の隙間を適切に設定することで、チャッキングプレートを偏心することなくセンタリングできる。すなわち、本実施例のディスク装置は、ディスク挿入ガイド面の頂上近辺部分がチャッキングプレートの嵌合傾斜面に適切に係合され、かつディスク挿入ガイド面の底部近辺部分がディスク上側基板の底面に生じた凸部段差に当接しないように設計できるために、カートリッジ収納型のディスク装置に対しても互換性を確保し易いという特徴がある。また、本実施例のディスク装置では、可動側センタリング部を用いずに固定型センタリング部のみでディスクを誘導するために、ディスク挿入ガイド面に接合部がなく、円滑かつ確実にディスクをセンタリング及びチャッキングできる。さらに、固定型センタリング部のみでディスクを誘導するために、可動側センタリング部を併用してディスクを誘導する従来のディスク装置のように、センタリング機構の占有領域を増加させてスピンドルモータ全体の高さを増加させることはなく、かつ可動センタリング部及びコイルバネ等の部品点数を増加させることがないため、部品コスト及び組立コストの増大を回避できる。
【００２７】
<処理の流れ>
図１１は、本実施例のディスク装置におけるディスクのチャッキング処理の流れの一例を示す図である。まず、ディスク挿入ガイド面へのディスクの当接ステップＳ１１０１において、ディスク装置は、ローディングされたディスクの内径下側周縁部の一部を固定型センタリング部材のディスク挿入ガイド面の上側に当接させる。具体的には、ディスクがローディング機構によってディスク装置内にローディングされると、当該ディスクはディスク回転軸（図１のＯ‐Ｏ’）に対して偏心した状態で降下し、当該ディスクの一方の内径の下側周縁部が固定型センタリング部の外形に形成されたディスク挿入ガイド面の上側の一部に当接する。
次に、ターンテーブル本体のディスク搭載面へのディスクの誘導ステップＳ１１０２において、ディスク装置は、前記ステップにて固定型センタリング部材のディスク挿入ガイド面の上側にその内径下側周縁部の一部が当接されたディスクを、当該内径下側周縁部の一部がディスク挿入ガイド面に当接された状態を保持しつつ、ターンテーブルのディスク搭載面まで誘導する。これをさらに細かく見ると、まず、ディスク挿入ガイド面のうち頂上近辺形状に沿って誘導されている間は、前記ステップにて最初に当接された部分（具体的にはディスク下面基盤の内径下側周縁部の角の部分）がそのまま当接された状態で誘導される。その際、ディスク挿入ガイド面の頂上近辺形状は凸曲面であることから、ディスク挿入ガイド面の頂上近辺形状の傾斜角を垂直方向から大きく傾斜させることができ、固定型センタリング部の上端部の外径寸法が係合するディスクの内径寸法に対して小さくなり、固定型センタリング部のディスク挿入ガイド面がディスクを引き込み易くすることが可能な形状となっているため、かかるディスク挿入ガイド面の形状を利用して、ディスク挿入ガイド面の頂上近辺形状に沿って行われる誘導が円滑になされることになる。その後、底部近辺形状に沿って誘導されている間も引き続き前記ステップにて最初に当接された同じ部分がそのまま当接された状態で誘導される。その際、ディスク挿入ガイド面の底部近辺形状は前記凸曲面と異なる曲率を有する曲面であることから、カートリッジ収納型のディスク装置の場合に確実にディスクをセンタリングしてディスク搭載面に保持させるためストレート部の嵌合領域を十分に確保する必要からディスク挿入ガイド面の傾斜開始点が高い位置に配置されていても、ディスク挿入ガイド面とディスク内径形状に生じた凸部段差との当接を避けることができるような形状となっているため、かかるディスク挿入ガイド面の形状を利用して、ディスク挿入ガイド面の底部近辺形状に沿って行われる誘導が円滑になされることになる。さらに、ストレート部を誘導される間は、当該ディスク下面基盤の内径下側周縁部の内側部分が面で接する形で誘導される。そして、前述のようにディスク挿入ガイド面の傾斜開始点を高い位置に配置することが可能となることから、ストレート部の嵌合領域を十分に確保することができ、もって、ディスクが確実にセンタリングされてディスク搭載面に保持されることとなる。
以上のように、本実施例のディスク装置においては、かかるディスク挿入ガイド面の形状を利用して、円滑・確実なディスクのチャッキング・センタリングの処理の実行がなされることが可能となる。
【００２８】
<効果>
本実施例のディスク装置により、固定型センタリング部材のみでディスクを誘導させてセンタリングするディスク装置において、カートリッジ収納型のディスク装置に対しても係合状態を最適にディスク挿入ガイド面の形状を設定できようになるために、ベアディスク型及びカートリッジ収納型両方のディスク装置に対してもセンタリングとチャッキングを円滑かつ確実に実現できて、従来のスピンドルモータよりも全体高さを増加させずに、複数の規格ディスクに対する互換性を低コストで確保できる。特に、ディスク挿入ガイド面の頂上近辺形状がディスク回転軸の外側方向への凸曲面としているのは、こうすることで、ディスク挿入ガイド面の頂上近辺形状の傾斜角をディスク挿入ガイドの傾斜面がディスク内径の凸部段差と当接しないように垂直方向から大きく傾斜させ、固定型センタリング部の上端部の外径寸法が係合するディスクの内径寸法に対して小さくすることを可能にし、もって、ディスク挿入ガイド面がディスクを引き込み易くなり、ディスクのチャッキング動作を円滑に行うことを可能にすることが可能となる。
【実施例２】
【００２９】
<概要>
本実施例のディスク装置も実施例１と同様ターンテーブル本体と固定型センタリング部とを備え、ディスク挿入ガイド面でディスクを当接させて、これをセンタリングしながらターンテーブルまで誘導するディスク装置であるが、実施例１の装置と異なり、ディスク挿入ガイド面の底部近辺形状がディスク回転軸の内側方向への凹曲面であり、頂上近辺形状が前記凹曲面と異なる曲率を有する曲面を備えた複合曲面で形成されたことを特徴とするものである。
【００３０】
<構成>
本実施例の「ディスク装置」は、ディスクを保持する「ターンテーブル本体」と、前記ターンテーブルの中央部に形成された「固定型センタリング部」とを備える。
当該ディスク装置は、ディスク挿入ガイド面の底部近辺形状がディスク回転軸の内側方向への凹曲面（以下、本実施例において単に「凹曲面」という。）であり、かつ頂上近辺形状が前記凹曲面と異なる曲率を有する曲面を備えた複合曲面で形成されたことを特徴とする。ここで、「ディスク挿入ガイド面の頂上近辺」及び「ディスク挿入ガイド面の底部近辺」の意味は実施例１における意味と同じである。また、「頂上近辺形状が前記凹曲面と異なる曲率を有する曲面を備えた」というのは、ここでは、頂上近辺形状が凸曲面であるか、平面（曲率がゼロ）であるか、凹曲面であってその曲率が底部近辺形状（凹曲面）の曲率より小さいか、のいずれかの意味である。また、「異なる」の意味は、実施例１における意味と同じである。また、「複合曲面」の意味も実施例１における意味と同じである。本実施例のディスク装置のチャッキング部の断面のイメージの一例を示す概念は、実施例１について図８に示したところと同様である。このように、ディスク挿入ガイド面の底部近辺形状をディスク回転軸の内外側方向への凹曲面としているのは、こうすることで、ディスク挿入ガイド面の底部近辺形状がディスク内径の凸部段差と当接しないようにすることを可能にし、ディスクのチャッキング動作を円滑に行うことを可能にすることを目的とするものである。
その余の構成は、実施例１における構成と同じであるので、説明を省略する。
【実施例３】
【００３１】
<概要>
本実施例のディスク装置も実施例１又は２と同様ターンテーブル本体と固定型センタリング部とを備え、ディスク挿入ガイド面でディスクを当接させて、これをセンタリングしながらターンテーブルまで誘導するディスク装置であるが、実施例１又は２の装置と異なり、ディスク挿入ガイド面の頂上近辺形状がディスク回転軸の外側方向への凸曲面であり、かつディスク挿入ガイド面の底部近辺形状がディスク回転軸の内側方向への凹曲面である複合曲面で形成されたことを特徴とするものである。
【００３２】
<構成>
本実施例の「ディスク装置」は、ディスクを保持する「ターンテーブル本体」と、前記ターンテーブルの中央部に形成された「固定型センタリング部」とを備える。
当該ディスク装置は、ディスク挿入ガイド面の底部近辺形状がディスク回転軸の内側方向への凹曲面（以下、本実施例において単に「凹曲面」という。）であり、かつディスク挿入ガイド面の底部近辺形状がディスク回転軸の内側方向への凹曲面である複合曲面で形成されたことを特徴とする。ここで、「ディスク挿入ガイド面の頂上近辺」及び「ディスク挿入ガイド面の底部近辺」の意味は実施例１又は２における意味と同じである。また、「複合曲面」の意味も実施例１又は２における意味と同じである。本実施例のディスク装置のチャッキング部の断面のイメージの一例を示す概念は、実施例１について図８に示したところと同様である。このように、ディスク挿入ガイド面の底部近辺形状をディスク回転軸の内外側方向への凹曲面としているのは、こうすることで、ディスク挿入ガイド面の底部近辺形状がディスク内径の凸部段差と当接しないようにすることを可能にし、ディスクのチャッキング動作を円滑に行うことを可能にすることを目的とするものである。
その余の構成は、実施例１又は２における構成と同じであるので、説明を省略する。
【実施例４】
【００３３】
<概要>
本実施例のディスク装置は、実施例１から３のいずれか一のディスク装置のディスク挿入ガイド面の底部近辺形状が、規定されたディスク内周面の最大貼り合わせ誤差量を有するディスク内径の凸部段差に対して当接しない曲面形状で形成されていることを特徴とするものである。
【００３４】
<構成>
本実施例の「ディスク装置」は、ディスクを保持する「ターンテーブル本体」と、前記ターンテーブルの中央部に形成された「固定型センタリング部」とを備える。
本実施例のディスク装置のチャッキング部の断面のイメージの一例を示す概念は、実施例１について図８に示したところと同様である。即ち、同図の例に即して言えば、当該ディスク装置は、ディスク挿入ガイド面の底部近辺形状０８０６が、規定されたディスク内周面の最大貼り合わせ誤差量を有するディスク内径の凸部段差に対して当接しない曲面形状で形成されている。ここでディスク内周面の最大貼り合わせ誤差量は規格で規定されており、所与である。また、同図においては、頂上近辺形状がディスク回転軸の外側方向への凸曲面（以下、本実施例において単に「凸曲面」という。）であり、かつディスク挿入ガイド面の底部近辺形状がディスク回転軸の内側方向への凹曲面（以下、本実施例において単に「凹曲面」という。）である場合の例が示されているが、本実施例のディスク装置は、このほか、ディスク挿入ガイド面の頂上近辺形状が凸曲面であり、かつ底部近辺形状が前記凸曲面と異なる曲率を有する曲面（ここでは、凹曲面であるか、平面であるか、凸曲面であってその曲率が頂上近辺形状の曲率より小さいか、のいずれかの意味である）を有する場合やディスク挿入ガイド面の底部近辺形状が凹曲面であり、頂上近辺形状が前記凹曲面と異なる曲率を有する曲面（ここでは、頂上近辺形状が凸曲面であるか、平面であるか、凹曲面であってその曲率が底部近辺形状の曲率より小さいか、のいずれかの意味である）を備えた場合であってもよい。以上の構成は、こうすることで、ディスク挿入ガイド面の頂上近辺形状の傾斜角をディスク挿入ガイドの傾斜面がディスク内径の凸部段差と当接しないように垂直方向から大きく傾斜させ、固定型センタリング部の上端部の外径寸法が係合するディスクの内径寸法に対して小さくすることを可能にし、もって、ディスク挿入ガイド面がディスクを引き込み易くした上で、ディスク挿入ガイド面の底部近辺形状を規定されたディスク内周面の最大貼り合わせ誤差量を有するディスク内径の凸部段差に対して当接しない曲面形状で形成されるようにすることで、ディスクのチャッキング動作を円滑に行うことを可能にすることを目的とする。
【実施例５】
【００３５】
<概要>
本実施例のディスク装置は、実施例１から４のいずれか一のディスク装置であるスピンドル構体である。
【００３６】
<構成>
本実施例のディスク装置である「スピンドル構体」は、ディスクを保持する「ターンテーブル本体」と、前記ターンテーブルの中央部に形成された「固定型センタリング部」とを備え、前記固定型センタリング部のディスク挿入ガイド面でディスク内径周縁を当接させて、ディスクをセンタリングしながらターンテーブルのディスク搭載面まで誘導するディスク装置である。また、当該スピンドル構体は、光学ヘッドや光磁気ヘッドを用いて光学的、光磁気的にディスクに対する記録・再生を行う光ディスク装置もしくは光磁気ディスク装置であるディスク装置（狭義のディスク装置）の一部を構成する構造体であって、ディスクを保持する機能を有し高速回転可能なスピンドルと当該スピンドルを回転駆動するためのモータであるスピンドルモータを備えた構造体をいう。従って、前述のようにディスクを保持する「ターンテーブル本体」と、前記ターンテーブルの中央部に形成された「固定型センタリング部」とを備えるほか、スピンドルモータ（モータシャフトを含む。）を備える。また、このほかチャッキングプーリー及びチャックングプレートを備えていてもよい。そして、本実施例のスピンドル構体の固定型センタリング部のディスク挿入ガイド面の形状は（１）頂上近辺形状がディスク回転軸の外側方向への凸曲面であり、かつ底部近辺形状が前記凸曲面と異なる曲率を有する曲面を備えた複合曲面で形成されているか、（２）底部近辺形状がディスク回転軸の内側方向への凹曲面であり、頂上近辺形状が前記凹曲面と異なる曲率を有する曲面を備えた複合曲面で形成されているか、（３）頂上近辺形状がディスク回転軸の外側方向への凸曲面であり、かつ前記ディスク挿入ガイド面の底部近辺形状がディスク回転軸の内側方向への凹曲面である複合曲面で形成されているか、のいずれかである。また、これらいずれの場合にあっても、ディスク挿入ガイド面の底部近辺形状は、規定されたディスク内周面の最大貼り合わせ誤差量を有するディスク内径の凸部段差に対して当接しない曲面形状で形成されているものであってもよいし、そのように形成されていなくてもよい。以上の場合における用語の意味は、実施例１から４までに置いて説明したところと同様であるので、説明を省略する。
【実施例６】
【００３７】
<概要>
本実施例のディスク装置は、実施例１から４のいずれか一のディスク装置である光もしくは光磁気ディスク装置である。
【００３８】
<構成>
本実施例のディスク装置である「光もしくは光磁気ディスク装置」は、ディスクを保持する「ターンテーブル本体」と、前記ターンテーブルの中央部に形成された「固定型センタリング部」とを備え、前記固定型センタリング部のディスク挿入ガイド面でディスク内径周縁を当接させて、ディスクをセンタリングしながらターンテーブルのディスク搭載面まで誘導するディスク装置である。この場合において、「光もしくは光磁気ディスク装置」は、ＣＤを対象とするものであるか、ＤＶＤを対象とするものであるか、あるいは記録型か非記録型かといった種類を問わない。そして、本実施例の光もしくは光磁気ディスク装置の固定型センタリング部のディスク挿入ガイド面の形状は（１）頂上近辺形状がディスク回転軸の外側方向への凸曲面であり、かつ底部近辺形状が前記凸曲面と異なる曲率を有する曲面を備えた複合曲面で形成されているか、（２）底部近辺形状がディスク回転軸の内側方向への凹曲面であり、頂上近辺形状が前記凹曲面と異なる曲率を有する曲面を備えた複合曲面で形成されているか、（３）頂上近辺形状がディスク回転軸の外側方向への凸曲面であり、かつ前記ディスク挿入ガイド面の底部近辺形状がディスク回転軸の内側方向への凹曲面である複合曲面で形成されているか、のいずれかである。また、これらいずれの場合にあっても、ディスク挿入ガイド面の底部近辺形状は、規定されたディスク内周面の最大貼り合わせ誤差量を有するディスク内径の凸部段差に対して当接しない曲面形状で形成されているものであってもよいし、そのように形成されていなくてもよい。以上の場合における用語の意味は、実施例１から４までに置いて説明したところと同様であるので、説明を省略する。
【図面の簡単な説明】
【００３９】
【図１】従来型のディスクの装置の一例を示す断面図
【図２】従来型のディスク装置におけるディスク搭載要領を説明するためのチャッキング部の一例を示す断面図
【図３】従来型のディスク装置におけるディスク内径部凸部段差とディスク挿入ガイド面の当接状態を比較する参考図
【図４】従来型のディスク装置の一例を示す断面図
【図５】従来型のディスク装置におけるディスク搭載要領を説明するためのチャッキング部の一例を示す断面図
【図６】従来型のディスク装置における問題点を説明するためのチャッキング部の一例を示す断面図
【図７】従来型のディスク装置のチャッキング部の一例を示す断面図
【図８】実施例１のディスク装置のチャッキング部の断面のイメージの一例を示す概念図
【図９】実施例１の一例を示す断面図
【図１０】実施例１のディスク装置におけるディスク搭載要領を説明するためのチャッキング部の断面図
【図１１】実施例１のディスク装置における処理の流れの一例を示す図
【符号の説明】
【００４０】
０９０１  ターンテーブル本体
０９０１ａ  ディスク搭載面
０９０２  モータシャフト
０９０３  固定型センタリング部
０９０３ｂ  固定型センタリング部の上端部
０９０３ｃ  固定型センタリング部材の周縁部
０９０４  ディスク
０９０４ｃ  ディスク上側基板
０９０４ｄ  ディスク下側基板
０９０４ｇ  ディスク上面
０９０５  吸着マグネット
０９０９  チャッキングプレート
０９０９ａ  チャッキングプレートの嵌合傾斜面
０９０９ｂ  チャッキングプレート外形
０９０９ｃ  ディスク押圧部
０９１０  カートリッジの上シェル
０９１１  プレート保持部材
０９１２  可動側センタリング部材
０９１４  ラジアル軸受
０９１５  軸受ハウジング
０９１６  モータ取付用板金
０９１７  ロータヨーク
０９１８  駆動用マグネット
０９１９  コイル
０９２０  ステータコア
０９２１  ディスク挿入ガイド面
０９２１ａ  ディスク挿入ガイド面の頂上近辺形状
０９２１ｂ  ディスク挿入ガイド面の底部近辺形状
Ｌａ  ディスク基板の貼り合せによる最大寸法誤差
Ｌｂ  固定型センタリング部における上端部の外径寸法
Ｌｃ  ディスクの内径寸法
Ｌｅ  挿入ガイド上端部の周縁部とチャッキングプレートの嵌合傾斜面との隙間量
Ｌｆ  センタリング部の下側外周に設けたストレート嵌合領域
θ  ディスク挿入ガイド面の傾斜角
θ1  ディスク内径形状に生じた凸部段差と当接する傾斜角
Ｏ‐Ｏ’  ディスク回転軸
１００１  ターンテーブル本体
１００１ａ  ディスク搭載面
１００３  固定型センタリング部
１００３ｂ  固定型センタリング部の上端部
１００３ｃ  固定型センタリング部材の周縁部
１００３ａ  ディスク挿入ガイド面
１００３ｄ  ディスク挿入ガイド面の傾斜開始点
１００４  ディスク
１００４ａ  ディスク内径下側周縁部
１００４ｂ  ディスク内径形状
１００４ｃ  ディスク上側基板
１００４ｄ  ディスク下側基板
１００４ｅ  ディスク内径部の凸部段差
１００４ｆ  ディスク下側基板の内壁部
１００４ｇ  ディスク上面
１００５  吸着マグネット
１００９  チャッキングプレート
１００９ａ  チャッキングプレートの嵌合傾斜面
１００９ｂ  チャッキングプレート外形
１００９ｃ  ディスク押圧部
１０１０  カートリッジの上シェル
１０１１  プレート保持部材
１０１１ａ  プレート保持部材の内側壁
１０２１  ディスク挿入ガイド面
１０２１ａ  ディスク挿入ガイド面の頂上近辺形状
１０２１ｂ  ディスク挿入ガイド面の底部近辺形状
【図１】
2006331525.tif 000003
【図２】
2006331525.tif 000004
【図３】
2006331525.tif 000005
【図４】
2006331525.tif 000006
【図５】
2006331525.tif 000007
【図６】
2006331525.tif 000008
【図７】
2006331525.tif 000009
【図８】
2006331525.tif 000010
【図９】
2006331525.tif 000011
【図１０】
2006331525.tif 000012
【図１１】
2006331525.tif 000013